(57)【要約】【課題】ラインにコンベアを設置した後であっても、Ｘ線検査装置をコンベアに取り付けることができることを目的とする。【解決手段】Ｘ線検査装置（１）は、凹んだ形状の部分を有する本体部（１０）と、本体部（１０）の、凹んだ形状の部分と対向するように、本体部（１０）に着脱する着脱部（２０）とを備え、本体部（１０）に着脱部（２０）が取り付けられることにより、凹んだ形状の部分と着脱部（２０）とから、２つの開口を有する検査室（１５０）が構成される。【選択図】図１
2018112523.tif 000002
【特許請求の範囲】
【請求項１】
凹んだ形状の部分を有する本体部と、
前記本体部の、前記凹んだ形状の部分と対向するように、前記本体部に着脱する着脱部とを備え、
前記本体部に前記着脱部が取り付けられることにより、前記凹んだ形状の部分と前記着脱部とから、２つの開口を有する検査室が構成されることを特徴とするＸ線検査装置。
【請求項２】
前記着脱部は、前記検査室側とは反対側に開く開閉扉を有していることを特徴とする請求項１に記載のＸ線検査装置。
【請求項３】
前記開閉扉は、前記検査室内を視認可能な窓部を有していることを特徴とする請求項２に記載のＸ線検査装置。
【請求項４】
前記着脱部は、前記本体部に取り付けられることにより前記本体部に対向する前面部を有し、
前記前面部を支持する支持部を有していることを特徴とする請求項１から３のいずれか１項に記載のＸ線検査装置。
【発明の詳細な説明】
【技術分野】
【０００１】
本発明は、Ｘ線検査装置に関する。
【背景技術】
【０００２】
コンベアで搬送されてきた被検査物をＸ線により検査するＸ線検査装置が従来技術として知られている。
【先行技術文献】
【特許文献】
【０００３】
【特許文献１】特開２０１６−００２６３２号公報（２０１６年１月１２日公開）
【発明の概要】
【発明が解決しようとする課題】
【０００４】
しかしながら、上記のＸ線検査装置では、被検査物にＸ線を照射する検査室の壁を取り外すことができない。このため、ラインにコンベアを設置した後、Ｘ線検査装置をコンベアに取り付けることができないという問題がある。
【０００５】
本発明の一態様は、ラインにコンベアを設置した後であっても、Ｘ線検査装置をコンベアに取り付けることができることを目的とする。
【課題を解決するための手段】
【０００６】
上記の課題を解決するために、本発明の一態様に係るＸ線検査装置は、凹んだ形状の部分を有する本体部と、前記本体部の、前記凹んだ形状の部分と対向するように、前記本体部に着脱する着脱部とを備え、前記本体部に前記着脱部が取り付けられることにより、前記凹んだ形状の部分と前記着脱部とから、２つの開口を有する検査室が構成される。
【０００７】
上記の構成によれば、本体部から着脱部を取り外すことができる。また、凹んだ形状の部分と着脱部とから、２つの開口を有する検査室が構成される。このため、ラインにコンベアを設置した後であっても、Ｘ線検査装置をコンベアに取り付けることができる。
【０００８】
前記着脱部は、前記検査室側とは反対側に開く開閉扉を有していてもよい。
【０００９】
上記の構成によれば、Ｘ線検査装置をコンベアに取り付けなくても、開閉扉を介して被検査物を出し入れすることができるため、Ｘ線検査装置単独で被検査物を検査することができる。このため、これからＸ線検査装置により検査される被検査物があった場合、コンベアにＸ線検査装置を取り付けることなく、被検査物を検査することができる。
【００１０】
前記開閉扉は、前記検査室内を視認可能な窓部を有していてもよい。
【００１１】
上記の構成によれば、被検査物を検査しているときであっても、窓部から検査室の様子を確認することができる。
【００１２】
前記着脱部は、前記本体部に取り付けられることにより前記本体部に対向する前面部を有し、前記前面部を支持する支持部を有していてもよい。
【００１３】
上記の構成によれば、着脱部を本体部から切り離しても、前面部の下面に固定された支持部によって、着脱部単独で直立することができる。このため、着脱部を本体部から切り離したとき、着脱部を取り扱いやすくなる。
【発明の効果】
【００１４】
本発明の一態様によれば、ラインにコンベアを設置した後であっても、Ｘ線検査装置をコンベアに取り付けることができるという効果を奏する。
【図面の簡単な説明】
【００１５】
【図１】本発明の実施形態１に係るＸ線検査装置の構造を示す斜視図である。
【図２】図１に示すＸ線検査装置の分解構造図である。
【図３】図１に示すＸ線検査装置の組み立て途中の様子を示す斜視図である。
【図４】図１に示すＸ線検査装置において内部構造を示す、一部を切り欠いた斜視図である。
【図５】図１に示すＸ線検査装置が地面に対して水平な方向に切断された状態において、検査室の構造を示す上面図である。
【図６】コンベアに図１に示すＸ線検査装置が取り付けられている状態を示す図である。（ａ）は、斜視図であり、（ｂ）は、前面図である。
【図７】図１に示すＸ線検査装置が地面に対して水平な方向に切断された状態において、検査室にコンベアが取り付けられている状態を示す上面図である。
【図８】図１に示すＸ線検査装置の着脱部の開閉扉が開いた状態を示す斜視図である。
【発明を実施するための形態】
【００１６】
〔実施形態１〕
以下、本発明の実施の形態について、図１から図８に基づいて詳細に説明する。図１は、本発明の実施形態１に係るＸ線検査装置１の構造を示す斜視図である。Ｘ線検査装置１は、図１に示すように、本体部１０、及び着脱部２０を備えている。着脱部２０は、本体部１０に着脱する。
【００１７】
（本体部の構成）
本体部１０の構成について、図１から図３に基づいて説明する。図２は、Ｘ線検査装置１の分解構造図である。図３は、Ｘ線検査装置１の組み立て途中の様子を示す斜視図である。本体部１０は、図１に示すように、警報器１１０、タッチパネル１２０、右側凸部１３０、左側凸部１４０、検査室１５０、本体部キャスター１６０、及び本体部支持脚１７０を備えている。なお、Ｘ線検査装置１の説明では、検査室１５０から着脱部２０に向かう方向を前方と称し、着脱部２０から検査室１５０に向かう方向を後方と称する。
【００１８】
警報器１１０は、音によって警報等を通知するスピーカ等の音出力装置であってもよい。また、警報器１１０は、光によって警報等を通知するパトライト（登録商標）やＬＥＤ等の発光装置であってもよい。このように、警報器１１０は、警報等をユーザに通知することができるものであればよく、公知の構成を適用することができる。
【００１９】
タッチパネル１２０は、本体部１０の上部前面に設けられている。タッチパネル１２０は、フルドット表示の液晶ディスプレイで構成され、そこに表示される設定画面を操作することにより、Ｘ線検査装置１の起動、停止、必要な運転条件の設定、及び検査条件の設定等ができるようになっている。運転開始前の初期画面では、例えば、後述する照射部４０のＸ線の強度を設定することができる。運転開始後の画面では、例えば、Ｘ線透過画像を処理するときの検出感度を設定することができるようになっている。タッチパネル１２０は、必要に応じて、欠品検査、異物検査、及び割れ欠け検査等の検査項目とその検査条件とを設定することができる。また、タッチパネル１２０には、被検査物にＸ線を照射したときのＸ線透過画像が表示されるようになっている。
【００２０】
右側凸部１３０は、本体部１０の右側側面から突出して設けられており、本体部１０の右側側面の中央に設けられている。なお、右側凸部１３０は、本体部１０の右側側面であれば、どこに設けられていてもよい。右側凸部１３０の先端面１３１には、切り欠き部１３２が形成されている。また、右側凸部１３０の形状は、図２に示すように、右側凸部１３０の前面側の中央部分は空間になっている。右側凸部１３０の前面側の上下部分には面があり、その上部の面を前面１３３、その下部の面を前面１３４とする。着脱部２０の右側板部２２０が右側凸部１３０に取り付けられている場合、右側板部２２０の裏面は前面１３３及び前面１３４と接している。右側板部２２０が右側凸部１３０から取り外されると、右側凸部１３０の前面側の中央部分は、空間になる。
【００２１】
左側凸部１４０、先端面１４１、切り欠き部１４２、前面１４３、及び前面１４４の形状及び位置はそれぞれ、右側凸部１３０、先端面１３１、切り欠き部１３２、前面１３３、及び前面１３４の形状及び位置と左右対称になっている。左右対称とは、Ｘ線検査装置１の前面側から見て、左右対称という意味である。
【００２２】
本体部１０に右側凸部１３０及び左側凸部１４０が設けられていることにより、照射部４０（後述する）から照射されるＸ線が検査室１５０の外部に漏洩し難くすることができる。具体的には、照射部４０と切り欠き部１３２との間、及び照射部４０と切り欠き部１４２との間の距離が大きくなるため、Ｘ線が検査室１５０の外部に漏洩し難くなる。本体部１０の前面側から見て、右側凸部１３０は右側に、左側凸部１４０は左側に、さらに長いものであってもよい。これにより、照射部４０と切り欠き部１３２との間、及び照射部４０と切り欠き部１４２との間の距離がさらに大きくなるため、Ｘ線が検査室１５０の外部に、より漏洩し難くすることができる。
【００２３】
また、切り欠き部１３２の上部及び切り欠き部１４２の上部に含鉛カーテン（図示せず）を取り付けることにより、Ｘ線が検査室１５０の外部に漏洩することを防ぐことができる。なお、検査室１５０の外部にＸ線が漏洩することを防ぐことができれば、含鉛カーテンの設置場所は、特に限定されない。
【００２４】
検査室１５０は、入口と出口とを有する。Ｘ線検査装置１に被検査物が右側から入り、左側から出ていくものとすると、検査室１５０の入口は右側板部２２０と切り欠き部１３２との間に形成され、検査室１５０の出口は左側板部２３０と切り欠き部１４２との間に形成される。切り欠き部１３２と切り欠き部１４２とは互いに対向しており、それらの開口面は互いに平行である。また、検査室１５０は、本体部１０の、凹んだ形状の部分に該当する。検査室１５０の下側には、Ｘ線を照射する照射部４０が設置されている。検査室１５０の上側には、照射部４０から照射されたＸ線を受光する受光部３０が設置されている。受光部３０には、フラットパネルディテクタ又はイメージインテンシファイアを用いてもよい。また、受光部３０には、フラットパネルディテクタ及びイメージインテンシファイア以外のものを用いてもよい。
【００２５】
また、Ｘ線が受光部３０に照射されることで、Ｘ線は受光部３０により画像信号に変換される。受光部３０により変換された画像信号は、Ｘ線検査装置１に内蔵のコンピュータ（図示せず）に入力されて透過Ｘ線画像に成形され、その透過Ｘ線画像に基づいて種々の検査が行われる。なお、受光部３０は、Ｘ軸、Ｙ軸、Ｚ軸といった駆動軸に沿って駆動される。照射部４０は、Ｙ軸、Ｚ軸、及びθ軸といった駆動軸に沿って駆動される。Ｘ軸は、地面に対して平行であり、かつ、Ｘ線検査装置１の正面から見て左右方向の軸である。Ｙ軸は、地面に対して平行であり、かつ、Ｘ線検査装置１の正面から見て前後方向の軸である。Ｚ軸は、地面に対して垂直であり、かつ、Ｘ線検査装置１の上下方向の軸である。θ軸は、Ｚ軸からＹ軸に向かう方向に４５度回転する回転軸である。受光部３０及び照射部４０において、それらの配置や駆動軸の構成は、Ｘ線検査装置１が被検査物を検査することが可能であれば、特に限定されない。上記のように、受光部３０及び照射部４０を駆動させることにより、照射部４０は、被検査物に対して、ずれることなく正確にＸ線を照射することができる。
【００２６】
本体部キャスター１６０は、本体部１０の底面に取り付けられている。本体部キャスター１６０は、本体部１０が移動することができるように、車輪を備えている。また、本体部１０の底面には、本体部１０を支持する本体部支持脚１７０が取り付けられている。本体部支持脚１７０は、本体部支持脚１７０の高さの調整が可能な構造になっており、その長さを長くすることで、本体部キャスター１６０を地面から浮かせる。これにより、本体部１０は地面に対して移動することがなくなる。
【００２７】
（着脱部の構成）
着脱部２０の構成について、図１に基づいて説明する。着脱部２０は、図１から図３に示すように、開閉扉２１０、窓部２１１、第１取っ手部２１２、第２取っ手部２２１・２２２、第３取っ手部２３１・２３２、上側板部２４０、下側板部２５０、第１支持部２６０（支持部）、着脱部キャスター２７０、及び第２支持部２８０を備えている。また、着脱部２０は、本体部１０の前面下部に取り付けられている。着脱部２０は、本体部１０の、凹んだ形状の部分と対向するように、本体部１０に着脱する。本体部１０に着脱部２０が取り付けられることにより、その凹んだ形状の部分と着脱部２０とから、２つの開口を有する検査室１５０が形成される。その２つの開口はそれぞれ、検査室１５０の入口及び出口となる。着脱部２０は、検査室１５０を構成する複数の壁のうちの１つとなり、且つ、切り欠き部１３２が設けられた壁及び切り欠き部１４２が設けられた壁と直交する。つまり、着脱部２０は、右側凸部１３０の先端面１３１と、左側凸部１４０の先端面１４１と直交する。
【００２８】
第１取っ手部２１２は、開閉扉２１０の前面の右側中央に取り付けられており、ユーザが開閉扉２１０の開閉を行う場合、ユーザは第１取っ手部２１２を掴みながら開閉扉２１０の開閉を行う。
【００２９】
右側板部２２０は、開閉扉２１０と隣接する位置、かつ、前面が前方を向くように開閉扉２１０の右側に取り付けられている。右側板部２２０の前面は、開閉扉２１０の前面と平行である。また、右側板部２２０の背面の上部と、右側凸部１３０の前面１３３とが合わさるように、かつ、右側板部２２０の背面の下部と、右側凸部１３０の前面１３４とが合わさるように、右側板部２２０は、右側凸部１３０に取り付けられる。右側板部２２０は、第２取っ手部２２１・２２２を備えている。第２取っ手部２２１・２２２は、右側板部２２０の前面に取り付けられている。ユーザが右側板部２２０を取り外す場合、ユーザは第２取っ手部２２１・２２２のどちらかを掴みながら、右側板部２２０を取り外す。図１では、第２取っ手部２２１・２２２が取り付けられているが、第２取っ手部の個数については特に限定されない。
【００３０】
左側板部２３０及び第３取っ手部２３１・２３２は、右側板部２２０及び第２取っ手部２２１・２２２と左右対称になっている。左右対称とは、Ｘ線検査装置１の前面側から見て、左右対称という意味である。
【００３１】
上側板部２４０は、開閉扉２１０と隣接する位置、かつ、前面が前方を向くように開閉扉２１０の上側に取り付けられている。上側板部２４０の前面は、開閉扉２１０の前面と平行である。また、上側板部２４０は、図３に示すように、第２支持部２８０を介して、本体部１０の前面中部の面１８０に取り付けられる。
【００３２】
下側板部２５０は、開閉扉２１０と隣接する位置、かつ、前面が前方を向くように開閉扉２１０の下側に取り付けられている。下側板部２５０の前面は、開閉扉２１０の前面と平行である。また、下側板部２５０は、図３に示すように、第２支持部２８０を介して、本体部１０の前面下部の面１９０に取り付けられる。
【００３３】
第１支持部２６０は、着脱部２０が単独で直立することができるようにするための部材である。第１支持部２６０は、前半部２６１と後半部２６２とで構成されている。前半部２６１は、長方形の枠の形状を有しており、後半部２６２は、コの字の形状を有している。前半部２６１は、後半部２６２の中にスライドして格納される。第１支持部２６０は、地面に対して平行である。また、第２支持部２８０は、後半部２６２と固定されている。
【００３４】
着脱部２０を本体部１０に取り付けるとき、前半部２６１が後半部２６２から引き出された状態で着脱部２０を本体部１０まで移動させ、着脱部２０を本体部１０の面１８０及び面１９０に取り付ける。このとき、後半部２６２は本体部１０の下面と地面との間の隙間に格納される。着脱部２０を面１８０及び面１９０に取り付けた後、前半部２６１を後半部２６２の中にスライドして格納する。このとき、前半部２６１は本体部１０の下面と地面との間の隙間に格納される。また、前半部２６１は後半部２６２に対して、前半部２６１が後半部２６２から引き出された状態、又は前半部２６１が後半部２６２の中に格納された状態で固定させることができる。
【００３５】
着脱部２０を本体部１０から取り外すとき、前半部２６１を後半部２６２から引き出す。前半部２６１が後半部２６２から引き出された状態で着脱部２０を面１８０及び面１９０から取り外す。その後、着脱部２０を本体部１０から引き離す。
【００３６】
これにより、着脱部２０が本体部１０に取り付けられている場合、第１支持部２６０を本体部１０の下面と地面との間の隙間に格納することができる。
【００３７】
ここで、上側板部２４０、開閉扉２１０、下側板部２５０、第２支持部２８０をまとめて、前面部とする。また、図３に示すように、第１支持部２６０に対して垂直になるように、第２支持部２８０は後半部２６２に固定されている。よって、着脱部２０を本体部１０から切り離しても、前面部の下面に固定された第１支持部２６０によって、着脱部２０単独で直立することができる。このため、着脱部２０を本体部１０から切り離したとき、着脱部２０を取り扱いやすくなる。着脱部２０単独で直立するときは、前半部２６１を後半部２６２から引き出して、前半部２６１を後半部２６２に対して固定させる。このように、前半部２６１を後半部２６２の中にスライドして収納することができることにより、メンテナンス性を向上させることができる。
【００３８】
着脱部キャスター２７０は、第１支持部２６０の底面に取り付けられている。着脱部キャスター２７０は、着脱部２０が移動することができるように、車輪を備えている。また、第２支持部２８０の底面には、着脱部支持脚２９０が取り付けられている。着脱部支持脚２９０は、着脱部支持脚２９０の高さの調整が可能な構造になっており、その高さを大きくすることで、着脱部支持脚２９０は地面に接する。これにより、着脱部２０は地面に対して移動することがなくなる。
【００３９】
（本体部と着脱部との組み立てについて）
次に、本体部１０と着脱部２０との組み立てについて、図３に基づいて説明する。図３に示すように、第２支持部２８０に形成された穴１００２にネジ１０００を通し、本体部１０の前面中部の面１８０に形成されたネジ穴１００１にネジ１０００を固定させることにより、面１８０に第２支持部２８０を固定させる。また、第２支持部２８０に形成された穴１００４にネジ１０００を通し、本体部１０の前面下部の面１９０に形成されたネジ穴１００３にネジ１０００を固定させることにより、面１９０に第２支持部２８０を固定させる。
【００４０】
第２支持部２８０に上側板部２４０を取り付ける。上側板部２４０は、開閉扉２１０より上に位置する。また、第２支持部２８０における開閉扉２１０より下の部分に、下側板部２５０を取り付ける。前面１３３及び前面１３４には、右側板部２２０を取り付ける。前面１４３及び前面１４４には、左側板部２３０を取り付ける。
【００４１】
また、上記の動作と逆の動作を行うことにより、本体部１０から着脱部２０を取り外すことができる。したがって、本体部１０から着脱部２０を取り外すことができるため、ラインにコンベア５０（後述する）を設置した後であっても、Ｘ線検査装置１をコンベア５０に取り付けることができる。ラインとは、工場内の生産ラインのことである。
【００４２】
（本体部の内部構造）
次に、本体部１０の内部構造について、図４に基づいて説明する。図４は、Ｘ線検査装置１において内部構造を示す、一部を切り欠いた斜視図である。本体部１０は、図４に示すように、検査室１５０に受光部３０及び照射部４０を備えている。
【００４３】
図４に示すように、検査室１５０の下側に照射部４０を設け、検査室１５０の上側に受光部３０を設ける。これにより、Ｘ線検査装置１は、内部に搬送されてきた被検査物に、下側に設けられた照射部４０からＸ線を照射し、上側に設けられた受光部３０によって、そのＸ線を検出する。つまり、受光部３０は、被検査物を透過したＸ線を検出する。
【００４４】
（検査室の構造）
次に検査室１５０の構造について、図５に基づいて説明する。図５は、Ｘ線検査装置１が地面に対して水平な方向に切断された状態において、検査室１５０の構造を示す上面図である。
【００４５】
図５に示すように、検査室１５０は、底面１５０ａ・１５０ｂ・１５０ｃ・１５０ｄ・１５０ｅ・１５０ｆを有している。また、検査室１５０は、側面１５０ｇ・１５０ｈ・１５０ｉを有している。図５において、底面１５０ａがある側を右側、底面１５０ｂがある側を左側、底面１５０ｃがある側を奥側、底面１５０ｆがある側を前側とする。
【００４６】
底面１５０ａは、右側凸部１３０の内部の底面であり、底面１５０ｂは、左側凸部１４０の内部の底面であり、底面１５０ｃは、本体部１０の内部の奥側の底面である。底面１５０ｄは、底面１５０ａに隣接しており、底面１５０ａの左側にある。底面１５０ｅは、底面１５０ｂに隣接しており、底面１５０ｂの右側にある。底面１５０ｆは、底面１５０ｄと底面１５０ｅと間にあり、かつ、検査室１５０の底面全体の前側にある。
【００４７】
検査室１５０は、奥側に凹んだ部分を有しており、その凹んだ部分における底面１５０ｃの上の空間において、側面１５０ｇは右側の側面であり、側面１５０ｈは奥側の側面であり、側面１５０ｉは左側の側面である。検査室１５０の底面全体の中央部には凹部１５２が形成されている。凹部１５２は、底面１５０ｄ、底面１５０ｅ、底面１５０ｃ、及び底面１５０ｆに囲まれて形成されている。凹部１５２には照射部４０が格納されている。
【００４８】
ネジ穴１５１は、底面１５０ｄ、底面１５０ｅ、底面１５０ｃ、底面１５０ｆ、側面１５０ｇ、側面１５０ｈ、及び側面１５０ｉにそれぞれ複数設けられている。複数設けられていることとは、例えば、底面１５０ｄにネジ穴１５１が複数設けられているという意味である。これにより、検査室１５０の底面にコンベア５０（後述する）を設置するとき、検査室１５０の底面とコンベア５０とをネジにより固定させることができる。
【００４９】
（Ｘ線検査装置にコンベアを取り付けた状態の構造）
次に、Ｘ線検査装置１にコンベア５０を取り付けた状態の構造について、図６及び図７に基づいて説明する。図６は、コンベア５０にＸ線検査装置１が取り付けられている状態を示す図である。図６の（ａ）は、斜視図であり、図６の（ｂ）は、前面図である。図７は、Ｘ線検査装置１が地面に対して水平な方向に切断された状態において、検査室１５０にコンベア５０が取り付けられている状態を示す上面図である。
【００５０】
コンベア５０は、図６の（ａ）及び（ｂ）に示すように、右側凸部１３０の切り欠き部１３２と、左側凸部１４０の切り欠き部１４２との間に亘って設置されている。コンベア５０は、検査室１５０の底面に設置されている。また、コンベア５０は、図７に示すように、照射部４０の上方を通過するように、検査室１５０の底面に配置されている。この場合、コンベア５０は受光部３０の下方を通過する。これにより、コンベア５０により搬送される被検査物が受光部３０の下方及び照射部４０の上方を通過するため、照射部４０が被検査物にＸ線を照射し、受光部３０が被検査物を透過したＸ線を検出することができる。
【００５１】
（開閉扉２１０の構造）
次に、開閉扉２１０の構造について、図８に基づいて説明する。図８は、Ｘ線検査装置１の着脱部２０の開閉扉２１０が開いた状態を示す斜視図である。
【００５２】
開閉扉２１０は、図８に示すように、第１取っ手部２１２を有し、左側を中心として回転することにより開閉することが可能である。開閉扉２１０は検査室１５０側とは反対側に開く。着脱部２０が本体部１０に取り付けられている、かつ、開閉扉２１０が閉まっている場合、開閉扉２１０は、本体部１０の検査室１５０に対向する。
【００５３】
また、開閉扉２１０は、前面の中央に窓部２１１を有する。開閉扉２１０が窓部２１１を有することにより、開閉扉２１０が閉まっている状態であっても、窓部２１１から検査室１５０の様子を確認することができる。仮に被検査物を検査しているときであっても、窓部２１１から検査室１５０の様子を確認することができる。
【００５４】
また、Ｘ線検査装置１をコンベア５０に取り付けなくても、開閉扉２０１を介して被検査物を出し入れすることができるため、Ｘ線検査装置１単独で被検査物を検査することができる。このため、これからＸ線検査装置１により検査される被検査物があった場合、コンベア５０にＸ線検査装置１を取り付けることなく、被検査物を検査することができる。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５６】
１  Ｘ線検査装置、１０  本体部、２０  着脱部、３０  受光部、４０  照射部、５０  コンベア、１１０  警報器、１２０  タッチパネル、１３０  右側凸部、１３１  先端面、１３２  切り欠き部、１３３・１３４・１４３・１４４  前面、１４０  左側凸部、１４１  先端面、１４２  切り欠き部、１５０  検査室、１５０ａ・１５０ｂ・１５０ｃ・１５０ｄ・１５０ｅ・１５０ｆ  底面、１５０ｇ・１５０ｈ・１５０ｉ  側面、１５１  ネジ穴、１５２  凹部、１６０  本体部キャスター、１７０  本体部支持脚、１８０  面、１９０  面、２１０  開閉扉、２１１  窓部、２１２  第１取っ手部、２２０  右側板部、２２１・２２２  第２取っ手部、２３０  左側板部、２３１・２３２  第３取っ手部、２４０  上側板部、２５０  下側板部、２６０  第１支持部（支持部）、２６１  前半部、２６２  後半部、２７０  着脱部キャスター、２８０  第２支持部、２９０  着脱部支持脚、１０００  ネジ、１００１・１００３  ネジ穴、１００２・１００４  穴
【図１】
2018112523.tif 000003
【図２】
2018112523.tif 000004
【図３】
2018112523.tif 000005
【図４】
2018112523.tif 000006
【図５】
2018112523.tif 000007
【図６】
2018112523.tif 000008
【図７】
2018112523.tif 000009
【図８】
2018112523.tif 000010